(57)【要約】【課題】動的リソースシェアリングが行われる環境においてシステム全体の伝送効率を向上させることを可能にする仕組みを提供する。【解決手段】グラントフリー送信された第１の上りリンクデータおよびグラントベース送信された第２の上りリンクデータを受信する基地局装置と通信する通信装置であって、前記基地局装置から受信した設定情報に基づいてグラントフリー送信可能リソースに関する設定を行う設定部と、グラントフリー送信のためのパラメータ情報を含む下りリンク制御チャネルを所定の第１のスロットにおいて受信し、前記パラメータ情報に基づいて生成された前記第１の上りリンクデータを前記グラントフリー送信可能リソースの中から選択された上りリンクリソースを用いて送信する通信処理部と、を備える通信装置。【選択図】図９
2018191104.tif 000002
【特許請求の範囲】
【請求項１】
グラントフリー送信された第１の上りリンクデータおよびグラントベース送信された第２の上りリンクデータを受信する基地局装置と通信する通信装置であって、
前記基地局装置から受信した設定情報に基づいてグラントフリー送信可能リソースに関する設定を行う設定部と、
グラントフリー送信のためのパラメータ情報を含む下りリンク制御チャネルを所定の第１のスロットにおいて受信し、前記パラメータ情報に基づいて生成された前記第１の上りリンクデータを前記グラントフリー送信可能リソースの中から選択された上りリンクリソースを用いて送信する通信処理部と、
を備える通信装置。
【請求項２】
前記第１のスロットは、前記第１の上りリンクデータよりも長い前記第２の上りリンクデータの送信時間間隔に基づいて決まる、請求項１に記載の通信装置。
【請求項３】
前記通信処理部は、前記第１のスロットにおいて前記下りリンク制御チャネルをモニタリングする、請求項１に記載の通信装置。
【請求項４】
前記第１のスロットにおいて前記パラメータ情報が検出されない場合、前記第１の上りリンクデータは所定のパラメータ情報に基づいて生成される、請求項１に記載の通信装置。
【請求項５】
前記パラメータ情報の適用区間は、前記第１の上りリンクデータよりも長い前記第２の上りリンクデータの送信時間間隔に基づいて決まる、請求項１に記載の通信装置。
【請求項６】
前記第１のスロットと前記パラメータ情報の適用区間の最初のスロットである第２のスロットとの関係は、前記通信装置に固有に設定される、請求項５に記載の通信装置。
【請求項７】
前記通信処理部は、前記第１のスロットと第２のスロットとの時間差に関する端末能力情報を前記基地局装置に送信する、請求項６に記載の通信装置。
【請求項８】
前記パラメータ情報は、前記第２の上りリンクデータの有無に基づいて決定される、請求項１に記載の通信装置。
【請求項９】
前記第２の上りリンクデータは、前記グラントフリー送信可能リソースの少なくとも一部と同一の直交リソースを用いて送信される、請求項８に記載の通信装置。
【請求項１０】
前記パラメータ情報は、変調方式及び／又は符号化率に関する情報を含む、請求項１に記載の通信装置。
【請求項１１】
前記パラメータ情報は、送信電力に関する情報を含む、請求項１に記載の通信装置。
【請求項１２】
前記パラメータ情報は、非直交領域に関する送信方法に関する情報を含む、請求項１に記載の通信装置。
【請求項１３】
前記パラメータ情報は、データ送信の繰り返し数に関する情報を含む、請求項１に記載の通信装置。
【請求項１４】
前記パラメータ情報は、信号波形に関する情報を含む、請求項１に記載の通信装置。
【請求項１５】
前記下りリンク制御チャネルは、前記設定情報に含まれるスクランブル情報に基づいて生成される、請求項１に記載の通信装置。
【請求項１６】
第１の上りリンクデータをグラントフリー送信する第１の通信装置及び第２の上りリンクデータをグラントベース送信する第２の通信装置と通信する基地局装置であって、
グラントフリー送信可能リソースに関する設定情報を前記第１の通信装置に送信する設定部と、
グラントフリー送信のためのパラメータ情報を含む下りリンク制御チャネルを所定の第１のスロットで送信し、前記グラントフリー送信可能リソースの中から選択された上りリンクリソースを用いて前記第１の通信装置から送信された、前記パラメータ情報に基づいて生成された前記第１の上りリンクデータを受信する通信処理部と、
を備える基地局装置。
【請求項１７】
グラントフリー送信された第１の上りリンクデータおよびグラントベース送信された第２の上りリンクデータを受信する基地局装置と通信する通信装置により実行される方法であって、
前記基地局装置から受信した設定情報に基づいてグラントフリー送信可能リソースに関する設定を行うことと、
グラントフリー送信のためのパラメータ情報を含む下りリンク制御チャネルを所定の第１のスロットにおいて受信し、前記パラメータ情報に基づいて生成された前記第１の上りリンクデータを前記グラントフリー送信可能リソースの中から選択された上りリンクリソースを用いて送信することと、
を含む方法。
【請求項１８】
第１の上りリンクデータをグラントフリー送信する第１の通信装置及び第２の上りリンクデータをグラントベース送信する第２の通信装置と通信する基地局装置により実行される方法であって、
グラントフリー送信可能リソースに関する設定情報を前記第１の通信装置に送信することと、
グラントフリー送信のためのパラメータ情報を含む下りリンク制御チャネルを所定の第１のスロットで送信し、前記グラントフリー送信可能リソースの中から選択された上りリンクリソースを用いて前記第１の通信装置から送信された、前記パラメータ情報に基づいて生成された前記第１の上りリンクデータを受信することと、
を含む方法。
【請求項１９】
コンピュータを、
グラントフリー送信された第１の上りリンクデータおよびグラントベース送信された第２の上りリンクデータを受信する基地局装置と通信する通信装置であって、
前記基地局装置から受信した設定情報に基づいてグラントフリー送信可能リソースに関する設定を行う設定部と、
グラントフリー送信のためのパラメータ情報を含む下りリンク制御チャネルを所定の第１のスロットにおいて受信し、前記パラメータ情報に基づいて生成された前記第１の上りリンクデータを前記グラントフリー送信可能リソースの中から選択された上りリンクリソースを用いて送信する通信処理部と、
として機能させるためのプログラムが記録された記録媒体。
【請求項２０】
コンピュータを、
第１の上りリンクデータをグラントフリー送信する第１の通信装置及び第２の上りリンクデータをグラントベース送信する第２の通信装置と通信する基地局装置であって、
グラントフリー送信可能リソースに関する設定情報を前記第１の通信装置に送信する設定部と、
グラントフリー送信のためのパラメータ情報を含む下りリンク制御チャネルを所定の第１のスロットで送信し、前記グラントフリー送信可能リソースの中から選択された上りリンクリソースを用いて前記第１の通信装置から送信された、前記パラメータ情報に基づいて生成された前記第１の上りリンクデータを受信する通信処理部と、
として機能させるためのプログラムが記録された記録媒体。
【発明の詳細な説明】
【技術分野】
【０００１】
本開示は、通信装置、基地局装置、方法及び記録媒体に関する。
【背景技術】
【０００２】
セルラー移動通信の無線アクセス方式および無線ネットワーク（以下、「Long  Term  Evolution（LTE）」、「LTE-Advanced（LTE-A）」、「LTE-Advanced  Pro（LTE-A  Pro）」、「５Ｇ（第５世代）」「New  Radio（NR）」、「New  Radio  Access  Technology（NRAT）」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、およびEUTRAを含み、ＮＲは、NRAT、およびFEUTRAを含む。ＬＴＥおよびＮＲでは、基地局装置（基地局）はＬＴＥにおいてｅＮｏｄｅＢ（evolved  NodeB）およびＮＲにおいてｇＮｏｄｅＢ、端末装置（移動局、移動局装置、端末）はＵＥ（User  Equipment）とも称する。ＬＴＥおよびＮＲは、基地局装置がカバーするエリアをセル状に複数配置するセルラー通信システムである。単一の基地局装置は複数のセルを管理してもよい。
【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）およびＵＲＬＬＣ（Ultra  reliable  and  low  latency  communications）を含む様々なユースケースに対応できるアクセス技術である。ＮＲは、それらのユースケースにおける利用シナリオ、要求条件、および配置シナリオなどに対応する技術フレームワークを目指して検討される。ＮＲのシナリオや要求条件の詳細は、非特許文献１に開示されている。
【０００４】
ＵＲＬＬＣでは、低遅延（低レイテンシー）伝送を実現することが求められる。特に、ＵＲＬＬＣの上りリンク送信において、端末のデータ送信に必要な制御の簡略化を行うことで低遅延化の実現が検討されている。これまでの上りリンク送信方法では、端末が上りリンクのデータが発生した場合、まず端末は基地局に上りリンク送信のためのリソース割り当て要求を行い、次に基地局は端末に上りリンク送信のためのリソース割り当てを行うための制御情報（上りリンクグラント、上りリンク割り当て）を通知する。端末は割り当てられたリソースを用いて上りリンク送信を行う。このような制御ステップは、上りリンク送信の度に行われるため、遅延の要因となっていた。
【０００５】
そのため、上りリンク送信のためのリソースを事前に割り当てることで、端末においてデータが発生した場合に、端末は事前に割り当てられた送信可能リソースを用いて上りリンク送信を行う。これにより、データが発生してからデータの送信を行うまでの時間を短縮することができ、低遅延送信が実現できる。このような送信は、グラントフリー送信と呼ばれる。グラントフリー送信の詳細は、非特許文献２に開示されている。
【０００６】
また、ｅＭＢＢはブロードバンド伝送であり、所定のスロット長を単位としてデータ送信が行われる。また、ＵＲＬＬＣは低遅延（低レイテンシー）伝送を含み、ｅＭＢＢのスロット長よりも短い時間単位（ミニスロット）でデータ送信が行われる。すなわち、ＵＲＬＬＣにおけるＴＴＩ（Transmission  Time  Interval）は、ｅＭＢＢにおけるＴＴＩよりも短い。そのため、ｅＭＢＢのデータ送信が既に開始された後で、ＵＲＬＬＣのデータ送信が発生する可能性がある。ｅＭＢＢのデータとＵＲＬＬＣのデータを多重する方法の１つとして、周波数分割多重が考えられるが、ＵＲＬＬＣのデータ送信のための周波数リソースを確保しておく必要があり、ＵＲＬＬＣのデータ送信の発生頻度が低い場合、リソースの利用効率が低下することになる。
【０００７】
そのため、ＮＲでは、ｅＭＢＢとＵＲＬＬＣとの動的リソースシェアリングが検討されている。ｅＭＢＢとＵＲＬＬＣとの動的リソースシェアリングでは、ＵＲＬＬＣのデータ送信が発生した場合、そのＵＲＬＬＣのデータは、ｅＭＢＢのデータが送信されているスロット内のリソースとオーバーラップして送信されうる。そのオーバーラップは互いに干渉となるが、リソースの利用効率の低下を改善できる。ｅＭＢＢとＵＲＬＬＣとの動的リソースシェアリングの詳細は、非特許文献３に開示されている。
【先行技術文献】
【非特許文献】
【０００８】
【非特許文献１】3rd  Generation  Partnership  Project;  Technical  Specification  Group  Radio  Access  Network;  Study  on  Scenarios  and  Requirements  for  Next  Generation  Access  Technologies;  (Release  14),  3GPP  TR  38.913  V0.3.0  (2016-03).  インターネット<URL:http://www.3gpp.org/ftp/Specs/archive/38_series/38.913/38913-030.zip>
【非特許文献２】R1-1704222,  "Grant-free  transmission  for  UL  URLLC,"  Huawei,  HiSilicon,  3GPP  TSG  RAN  WG1  Meeting  #88b,  April  2017.  インターネット<URL:http://www.3gpp.org/ftp/Meetings_3GPP_SYNC/RAN1/Docs/R1-1704222.zip>
【非特許文献３】R1-1611545,  "Dynamic  Resource  Sharing  for  eMBB/URLLC  in  DL,"  Sony,  3GPP  TSG  RAN  WG1  Meeting  #87,  October  2016.  インターネット<URL:http://www.3gpp.org/ftp/tsg_ran/WG1_RL1/TSGR1_87/Docs/R1-1611545.zip>
【発明の概要】
【発明が解決しようとする課題】
【０００９】
上りリンク送信において、例えばｅＭＢＢデータとＵＲＬＬＣデータとのリソースがオーバーラップし得る環境においては、ｅＭＢＢデータの有無によってＵＲＬＬＣデータが受ける干渉が動的に変化する。そのため、ＵＲＬＬＣデータの上りリンク送信のためのパラメータ情報が、動的に変化する干渉に応じて動的に制御可能であることが望ましい。そうでないと、最適でないパラメータ情報が使用されることになり、伝送効率の低下を招くためである。
【００１０】
そこで、本開示では、動的リソースシェアリングが行われる環境においてシステム全体の伝送効率を向上させることを可能にする仕組みを提供する。
【課題を解決するための手段】
【００１１】
本開示によれば、グラントフリー送信された第１の上りリンクデータおよびグラントベース送信された第２の上りリンクデータを受信する基地局装置と通信する通信装置であって、前記基地局装置から受信した設定情報に基づいてグラントフリー送信可能リソースに関する設定を行う設定部と、グラントフリー送信のためのパラメータ情報を含む下りリンク制御チャネルを所定の第１のスロットにおいて受信し、前記パラメータ情報に基づいて生成された前記第１の上りリンクデータを前記グラントフリー送信可能リソースの中から選択された上りリンクリソースを用いて送信する通信処理部と、を備える通信装置が提供される。
【００１２】
また、本開示によれば、第１の上りリンクデータをグラントフリー送信する第１の通信装置及び第２の上りリンクデータをグラントベース送信する第２の通信装置と通信する基地局装置であって、グラントフリー送信可能リソースに関する設定情報を前記第１の通信装置に送信する設定部と、グラントフリー送信のためのパラメータ情報を含む下りリンク制御チャネルを所定の第１のスロットで送信し、前記グラントフリー送信可能リソースの中から選択された上りリンクリソースを用いて前記第１の通信装置から送信された、前記パラメータ情報に基づいて生成された前記第１の上りリンクデータを受信する通信処理部と、を備える基地局装置が提供される。
【００１３】
また、本開示によれば、グラントフリー送信された第１の上りリンクデータおよびグラントベース送信された第２の上りリンクデータを受信する基地局装置と通信する通信装置により実行される方法であって、前記基地局装置から受信した設定情報に基づいてグラントフリー送信可能リソースに関する設定を行うことと、グラントフリー送信のためのパラメータ情報を含む下りリンク制御チャネルを所定の第１のスロットにおいて受信し、前記パラメータ情報に基づいて生成された前記第１の上りリンクデータを前記グラントフリー送信可能リソースの中から選択された上りリンクリソースを用いて送信することと、を含む方法が提供される。
【００１４】
また、本開示によれば、第１の上りリンクデータをグラントフリー送信する第１の通信装置及び第２の上りリンクデータをグラントベース送信する第２の通信装置と通信する基地局装置により実行される方法であって、グラントフリー送信可能リソースに関する設定情報を前記第１の通信装置に送信することと、グラントフリー送信のためのパラメータ情報を含む下りリンク制御チャネルを所定の第１のスロットで送信し、前記グラントフリー送信可能リソースの中から選択された上りリンクリソースを用いて前記第１の通信装置から送信された、前記パラメータ情報に基づいて生成された前記第１の上りリンクデータを受信することと、を含む方法が提供される。
【００１５】
また、本開示によれば、コンピュータを、グラントフリー送信された第１の上りリンクデータおよびグラントベース送信された第２の上りリンクデータを受信する基地局装置と通信する通信装置であって、前記基地局装置から受信した設定情報に基づいてグラントフリー送信可能リソースに関する設定を行う設定部と、グラントフリー送信のためのパラメータ情報を含む下りリンク制御チャネルを所定の第１のスロットにおいて受信し、前記パラメータ情報に基づいて生成された前記第１の上りリンクデータを前記グラントフリー送信可能リソースの中から選択された上りリンクリソースを用いて送信する通信処理部と、として機能させるためのプログラムが記録された記録媒体が提供される。
【００１６】
また、本開示によれば、コンピュータを、第１の上りリンクデータをグラントフリー送信する第１の通信装置及び第２の上りリンクデータをグラントベース送信する第２の通信装置と通信する基地局装置であって、グラントフリー送信可能リソースに関する設定情報を前記第１の通信装置に送信する設定部と、グラントフリー送信のためのパラメータ情報を含む下りリンク制御チャネルを所定の第１のスロットで送信し、前記グラントフリー送信可能リソースの中から選択された上りリンクリソースを用いて前記第１の通信装置から送信された、前記パラメータ情報に基づいて生成された前記第１の上りリンクデータを受信する通信処理部と、として機能させるためのプログラムが記録された記録媒体が提供される。
【００１７】
本開示によれば、グラントフリー送信のためのパラメータ情報が、グラントフリー送信する通信装置へ制御チャネルを介して通知される。これにより、基地局装置は、グラントフリー送信のためのパラメータ情報が動的に制御可能となる。従って、通信装置は、グラントフリー送信される第１の上りリンクデータとグラントベース送信される第２の上りリンクデータとの間で動的に発生する干渉の有無に応じて、グラントフリー送信のためのパラメータ情報を、最適なものに適宜更新することが可能となる。その結果、システム全体の伝送効率を向上させることが可能となる。
【発明の効果】
【００１８】
以上説明したように本開示によれば、動的リソースシェアリングが行われる環境においてシステム全体の伝送効率を向上させることを可能にする仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１９】
【図１】本開示の一実施形態に係るシステムの全体構成を示す図である。
【図２】ＮＲのフレーム構成の一例を示す図である。
【図３】ｅＭＢＢスロットおよびＵＲＬＬＣスロットの構成の一例を示す図である。
【図４】本実施形態に係る基地局装置１００とｅＭＢＢ端末３００とのグラントベース送信処理の流れの一例を示すシーケンス図である。
【図５】本実施形態に係る基地局装置１００とＵＲＬＬＣ端末２００とのグラントフリー送信処理の流れの一例を示すシーケンス図である。
【図６】本実施形態に係る基地局装置１００の構成の一例を示すブロック図である。
【図７】本実施形態に係るＵＲＬＬＣ端末２００の構成の一例を示すブロック図である。
【図８】本実施形態に係る動的リソースシェアリングの一例を説明するための図である。
【図９】本実施形態に係る動的リソースシェアリングの一例を説明するための図である。
【図１０】本実施形態に係るグラントフリー送信パラメータ情報の設定処理を説明するための図である。
【図１１】本実施形態に係るグラントフリー送信パラメータ情報の設定処理の流れの一例を説明するためのシーケンス図である。
【図１２】ｅＮＢの概略的な構成の第１の例を示すブロック図である。
【図１３】ｅＮＢの概略的な構成の第２の例を示すブロック図である。
【図１４】スマートフォンの概略的な構成の一例を示すブロック図である。
【図１５】カーナビゲーション装置の概略的な構成の一例を示すブロック図である。
【発明を実施するための形態】
【００２０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２１】
なお、説明は以下の順序で行うものとする。
１．はじめに
１．１．全体構成
１．２．関連技術
２．各装置の構成例
２．１．基地局装置の構成例
２．２．ＵＲＬＬＣ端末の構成例
３．技術的特徴
３．１．動的リソースシェアリング
３．２．パラメータ情報
３．２．１．グラントフリー送信パラメータ情報
３．２．２．グラントベース送信パラメータ情報
３．３．グラントフリー送信パラメータ情報の通知方法
３．４．グラントフリー送信パラメータ情報の適用区間
３．５．変形例
４．応用例
４．１．基地局装置に関する応用例
４．２．端末装置に関する応用例
５．まとめ
【００２２】
＜１．はじめに＞
＜１．１．全体構成＞
図１は、本開示の一実施形態に係るシステムの全体構成を示す図である。図１に示したように、システム１は、基地局装置１００、端末装置２００、端末装置３００、コアネットワーク２０及びＰＤＮ（Packet  Data  Network）３０を含む。
【００２３】
基地局装置１００は、セル１１を運用し、セル１１の内部に位置する１つ以上の端末装置へ無線通信サービスを提供する。セル１１は、例えばＬＴＥ又はＮＲ等の任意の無線通信方式に従って運用される。基地局装置１００は、コアネットワーク２０に接続される。コアネットワーク２０は、ゲートウェイ装置（図示せず）を介してＰＤＮ３０に接続される。
【００２４】
コアネットワーク２０は、例えばＭＭＥ（Mobility  Management  Entity）、Ｓ−ＧＷ（Serving  gateway）、Ｐ−ＧＷ（PDN  gateway）、ＰＣＲＦ（Policy  and  Charging  Rule  Function）及びＨＳＳ（Home  Subscriber  Server）を含み得る。ＭＭＥは、制御プレーンの信号を取り扱う制御ノードであり、端末装置の移動状態を管理する。Ｓ−ＧＷは、ユーザプレーンの信号を取り扱う制御ノードであり、ユーザデータの転送経路を切り替えるゲートウェイ装置である。Ｐ−ＧＷは、ユーザプレーンの信号を取り扱う制御ノードであり、コアネットワーク２０とＰＤＮ３０との接続点となるゲートウェイ装置である。ＰＣＲＦは、ベアラに対するＱｏＳ（Quality  of  Service）等のポリシー及び課金に関する制御を行う制御ノードである。ＨＳＳは、加入者データを取り扱い、サービス制御を行う制御ノードである。
【００２５】
端末装置２００及び端末装置３００は、基地局装置１００による制御に基づいて基地局装置１００と無線通信する通信装置である。端末装置２００及び端末装置３００は、いわゆるユーザ端末（ＵＥ：User  Equipment）であってもよい。例えば、端末装置２００及び端末装置３００は、基地局装置１００にアップリンク信号を送信して、基地局装置１００からダウンリンク信号を受信する。
【００２６】
とりわけ、端末装置２００は、基地局装置１００との間でＵＲＬＬＣの信号を送受信するＵＲＬＬＣ端末である。ＵＲＬＬＣ端末２００は、ＵＲＬＬＣデータ（第１の上りンリンクデータ）をグラントフリー送信する、第１の端末装置に相当する。端末装置３００は、基地局装置１００との間でｅＭＢＢの信号を送受信する、ｅＭＢＢ端末である。ｅＭＢＢ端末３００は、ｅＭＢＢデータ（第２の上りリンクデータ）をグラントベース送信する、第２の端末装置に相当する。ＵＲＬＬＣ端末２００及びｅＭＢＢ端末３００を区別する必要がない場合、これらを端末装置とも総称する。
【００２７】
＜１．２．関連技術＞
以下、本実施形態に関連する技術を説明する。
【００２８】
（１）ＮＲのフレーム構成
ＮＲのフレーム構成（換言すると、スロットフォーマット、又はスロット構成）は、サブフレーム、スロットおよびミニスロットにより規定され得る。サブフレームは、１４のシンボルで構成され、参照サブキャリア間隔（換言すると、規定サブキャリア間隔）におけるフレーム構成の定義として用いられ得る。スロットは、通信に用いられるサブキャリア間隔におけるシンボル区間であり、７または１４のシンボルで構成される。１つのスロットを構成するシンボルの数は、基地局装置１００からセル固有または端末装置固有に設定できる。ミニスロットは、スロットを構成するシンボルの数よりも少ないシンボルで構成されうる。例えば、１つのミニスロットは、１から６までのシンボル数であり、基地局装置１００からセル固有または端末装置固有に設定できる。スロットおよびミニスロットは、いずれも通信を行う時間領域のリソースの単位として用いられる。例えば、スロットは、ｅＭＢＢおよびｍＭＴＣのための通信に用いられ、ミニスロットは、ＵＲＬＬＣのための通信に用いられる。また、スロットおよびミニスロットは、名称を区別しなくてもよい。
【００２９】
図２は、ＮＲのフレーム構成の一例を示す図である。図２では、所定の周波数領域におけるフレーム構成が示されている。例えば、当該所定の周波数領域は、リソースブロック、サブバンド、またはシステム帯域幅などを含む。そのため、図２で示されるようなフレーム構成は、周波数多重および／または空間多重され得る。
【００３０】
ＮＲでは、１つのスロットは、下りリンク通信、ガード区間（ガードピリオド：ＧＰ）、および／または下りリンク通信で構成される。下りリンク通信には、ＮＲ−ＰＤＣＣＨ（Physical  Downlink.  Control  Channel）および／またはＮＲ−ＰＤＳＣＨ（Physical  Downlink  Shared  Channel）などの下りリンクチャネルが含まれる。また、下りリンク送信には、ＮＲ−ＰＤＣＣＨおよび／またはＮＲ−ＰＤＳＣＨに関連付けられる参照信号が含まれる。上りリンク通信には、ＮＲ−ＰＵＣＣＨ（Physical  Uplink  Control  Channel）および／またはＮＲ−ＰＵＳＣＨ（Physical  Uplink  Shared  Channel）などの上りリンクチャネルが含まれる。また、下りリンク通信には、ＮＲ−ＰＵＣＣＨおよび／またはＮＲ−ＰＵＳＣＨに関連付けられる参照信号が含まれる。ＧＰは、何も送信されない時間領域である。例えば、ＧＰは、端末装置における下りリンク通信の受信から上りリンク通信の送信に切り替える時間、端末装置における処理時間、および／または、上りリンク通信の送信タイミングの調整に用いられる。
【００３１】
図２に示されるように、ＮＲは、様々なフレーム構成を用いることができる。フレーム構成Ｃ１は、ＮＲ−ＰＤＣＣＨ、ＮＲ−ＰＤＳＣＨ、ＧＰおよびＮＲ−ＰＵＣＣＨで構成される。ＮＲ−ＰＤＣＣＨでは、ＮＲ−ＰＤＳＣＨの割り当て情報が送信され、受信したＮＲ−ＰＤＳＣＨに対するＨＡＲＱ−ＡＣＫが同一スロット内のＮＲ−ＰＵＣＣＨで送信される。フレーム構成Ｃ２は、ＮＲ−ＰＤＣＣＨ、ＧＰおよびＮＲ−ＰＵＳＣＨで構成される。ＮＲ−ＰＤＣＣＨでは、ＮＲ−ＰＵＳＣＨの割り当て情報が送信され、ＮＲ−ＰＵＳＣＨは同一スロット内の割り当てられたリソースで送信される。フレーム構成Ｃ１及びＣ２のようなフレーム構成は、同一スロット内で下りリンク通信と上りリンク通信が完結するので、Self-containedフレームとも呼称される。
【００３２】
フレーム構成Ｃ３〜Ｃ７は、下りリンク通信のみ、または、上りリンク通信のみで構成されるフレーム構成である。詳しくは、フレーム構成Ｃ３は、ＮＲ−ＰＤＣＣＨ及びＮＲ−ＰＤＳＣＨで構成される。フレーム構成Ｃ４は、ＮＲ−ＰＤＳＣＨで構成される。フレーム構成Ｃ５は、ＮＲ−ＰＵＳＣＨで構成される。フレーム構成Ｃ６は、ＮＲ−ＰＤＣＣＨで構成される。フレーム構成Ｃ７は、ＮＲ−ＰＵＣＣＨで構成される。フレーム構成Ｃ３では、ＮＲ−ＰＤＳＣＨは、同一スロット内のＮＲ−ＰＤＣＣＨによりスケジュールされ得る。フレーム構成Ｃ４及びＣ５では、ＮＲ−ＰＤＳＣＨおよびＮＲ−ＰＵＳＣＨは、それぞれ異なるスロットにマッピングされるＮＲ−ＰＤＣＣＨ、または、ＲＲＣシグナリングなどによりスケジュールされ得る。
【００３３】
フレーム構成Ｃ８は、スロット全体がガード区間として通信されない領域またはブランクスロットとして用いられるフレーム構成である。また、フレーム構成Ｃ８で示すようなスロットは、将来の拡張のためのスロットとして用いられることができる。そのようなスロットは、従来の端末装置からは単にブランクスロットとして見なされ、新たな拡張技術に対応する端末装置に対するデータや信号を送信するために用いられることができる。
【００３４】
（２）信号波形
本実施形態では、上りリンクにおいて複数種類の信号波形（Waveform）が規定される。例えば、２つの上りリンク信号波形が規定され、それぞれ第１の信号波形および第２の信号波形とすることができる。本実施形態において、第１の信号波形はＣＰ−ＯＦＤＭ（Cyclic  Prefix  -  Orthogonal  Frequency  Division  Multiplexing）であり、第２の信号波形はＳＣ−ＦＤＭＡ（Single  Carrier  -  Frequency  Division  Multiple  Access）であるものとする。また、第２の信号波形は、ＤＦＴ−ｓ−ＯＦＤＭ（Discrete  Fourier  Transform  -  Spread  -  Orthogonal  Frequency  Division  Multiplexing）とも呼称される。
【００３５】
つまり、第１の信号波形はマルチキャリア信号であり、第２の信号波形はシングルキャリア信号である。また、第１の信号波形はＬＴＥおよびＮＲにおける下りリンクの信号波形と同じであり、第２の信号波形はＬＴＥにおける上りリンクの信号波形と同じである。
【００３６】
これらの信号波形は、電力効率、伝送効率、送信（生成）方法、受信方法およびリソースマッピングなどの点で異なることができる。例えば、第２の信号波形は、第１の信号波形に比べて、ＰＡＰＲ（Peak-to-Average  Power  Ratio）を低減することができるため、電力効率の点で優れている。また、第１の信号波形は、周波数方向で参照信号をデータに周波数多重することができるため、第２の信号波形に比べて伝送効率の点で優れている。また、第２の信号波形に対する受信処理において、周波数領域等価を行う必要がある場合、第２の信号波形は、第１の信号波形に比べて、受信処理の負荷が高い。また、第１の信号波形は、第２の信号波形に比べて、サブキャリア間隔が狭いため、特に高い周波数帯において位相雑音の影響を受けやすい。
【００３７】
（３）ユーザ多重方式
直交多元接続(Orthogonal  Multiple  Access：OMA)においては、例えば直交する周波数軸および時間軸を用いて送受信を行う。この時、サブキャリア間隔によって周波数および時間リソースのフレーム構成が決定され、リソースエレメント数以上のリソースを使用することはできない。
【００３８】
一方、非直交多元接続(Non-Orthogonal  Multiple  Access:  NOMA)においては、直交する周波数軸および時間軸（直交リソース）に加えて、非直交軸（非直交リソース）を用いて、フレーム構成が決定される。例えば、非直交リソースは、インタリーブパターン（Interleave  pattern）、拡散パターン（Spreading  Pattern）、スクランブリングパターン（Scrambling  Pattern）、コードブック（Codebook）、及び電力（Power）である。非直交多元接続によりユーザ多重が行われる場合、受信側は、多重された信号の各々に適用された非直交リソースパターンに基づく干渉キャンセラを利用することで、多重された信号を分離することが可能である。
【００３９】
例えば、それぞれの端末装置は、上りリンク送信に対して対応する非直交リソースパターンを適用する。非直交リソースパターンは、ＭＡ署名（Multiple  Access  signature）とも称される。ＭＡ署名適用後の信号は、それぞれの端末装置から、同一の周波数および時間リソース上で送信される。ここで、ＭＡ署名には、例えば、インタリーブパターン、拡散パターン、スクランブリングパターン、コードブック及び電力割り当てなどが含まれる。なお、非直交リソースパターンは、ＭＡ署名の他に、単にパターン又はインデックスとも称されてもよい。その場合、非直交リソースパターンは、例として上記に挙げたようなＮＯＭＡで使用されるパターン若しくはインデックスといった識別子、又はパターンそのものを表すものを指す。
【００４０】
（４）ｅＭＢＢとＵＲＬＬＣのリソース構成
ＮＲでは、ｅＭＢＢやＵＲＬＬＣのようにＴＴＩ（Transmission  Time  Interval）長の異なるデータが柔軟に送信されうる。ｅＭＢＢ端末３００の送信単位となるＴＴＩ長はｅＭＢＢスロット（ｅＭＢＢの送信フレームであり、ｅＭＢＢフレームとも称する）で与えられ、ＵＲＬＬＣ端末２００の送信単位となるＴＴＩ長はＵＲＬＬＣスロット（ＵＲＬＬＣの送信フレームであり、ＵＲＬＬＣフレームとも称する）で与えられる。ＵＲＬＬＣスロットの時間長（ＵＲＬＬＣスロット長）は、ｅＭＢＢスロットの時間長（ｅＭＢＢスロット長）よりも短い。以下では、ＵＲＬＬＣスロットおよびｅＭＢＢスロットは、単にスロットとも呼称される。
【００４１】
ＵＲＬＬＣスロットおよびｅＭＢＢスロットは、それぞれシンボル数および／またはシンボル長で規定または設定される。ここで、シンボル長は１シンボルの時間長であり、ＯＦＤＭ信号におけるサブキャリア間隔に関連して決まる。具体的には、サブキャリア間隔がｎ倍である場合、そのシンボル長はｎ分の１になる。
【００４２】
例えば、ＵＲＬＬＣスロットおよびｅＭＢＢスロットは、同じシンボル長であり、異なるシンボル数で決まる。具体的には、ＵＲＬＬＣスロットは２シンボルで構成され、ｅＭＢＢスロットは７または１４シンボルで構成される。図３は、ｅＭＢＢスロットおよびＵＲＬＬＣスロットの構成の一例を示す図である。図３に示した例では、ＵＲＬＬＣスロットおよびｅＭＢＢスロットは、同じシンボル長であり、ｅＭＢＢスロットは１４シンボルで構成され、ＵＲＬＬＣスロットは２シンボルで構成される。
【００４３】
また、例えば、ＵＲＬＬＣスロットおよびｅＭＢＢスロットは、同じシンボル数であり、異なるシンボル長（すなわち、異なるサブキャリア間隔）で決まる。具体的には、ｅＭＢＢスロットは１５ｋＨｚのサブキャリア間隔のＯＦＤＭ信号であり、７シンボルで構成される。ＵＲＬＬＣスロットは６０ｋＨｚのサブキャリア間隔のＯＦＤＭ信号であり、７シンボルで構成される。その場合、ＵＲＬＬＣスロット長は、ｅＭＢＢスロット長に対して４分の１になる。
【００４４】
（５）グラントベース送信及びグラントフリー送信
ｅＭＢＢ端末３００は、上りリンクにおいて、グラントベース送信を行う。グラントベース送信とは、送信すべきデータが発生する度に基地局装置１００からリソースの割り当てを受ける送信方法である。詳しくは、ｅＭＢＢ端末３００は、送信すべきデータが発生したタイミングで基地局装置１００からグラントベース送信用の上りリンクリソース（以下、グラントベース送信リソースとも称する）の割り当てを受ける。そして、ｅＭＢＢ端末３００は、割り当てられたグラントベース送信リソースを用いてデータを送信する。
【００４５】
グラントベース送信リソースは、制御チャネル等により動的に設定される。
【００４６】
ＵＲＬＬＣ端末２００は、上りリンクにおいて、グラントフリー送信を行う。グラントフリー送信とは、予め基地局装置１００からリソースの割り当てを受けておき、送信すべきデータが発生した場合に割り当てられたリソースを使用してデータを送信する方法である。詳しくは、基地局装置１００は、グラントフリー送信用に所定の上りリンクリソース（以下、グラントフリー送信可能リソースとも称する）をＵＲＬＬＣ端末２００に割り当てる。ＵＲＬＬＣ端末２００は、上りリンク送信のデータが発生した場合、グラントフリー送信可能リソースの中から送信に用いるリソースを選択し、選択したリソースを用いてデータを送信する。
【００４７】
グラントフリー送信可能リソースは、基地局装置１００又はＵＲＬＬＣ端末２００に固有の情報として、ＲＲＣシグナリングにより静的に又は準静的に設定される。グラントフリー送信可能リソースは、時間方向において、所定の周期および／または所定のオフセットで決まる周期的なリソース、所定のスタート位置から連続するＵＲＬＬＣスロットなどで設定され得る。
【００４８】
以下、図４及び図５を参照して、グラントベース送信及びグラントフリー送信の流れを説明する。
【００４９】
図４は、本実施形態に係る基地局装置１００とｅＭＢＢ端末３００とのグラントベース送信処理の流れの一例を示すシーケンス図である。図４に示すように、まず、ｅＭＢＢ端末３００は、ユーザ入力等により送信すべきデータが発生すると、基地局装置１００にリソース割り当て要求を行う（ステップＳ１２）。次いで、基地局装置１００は、リソース割り当てを行う（ステップＳ１４）。そして、ｅＭＢＢ端末３００は、上記ステップＳ１４において基地局装置１００から割り当てられたリソースを用いて、データを送信する（ステップＳ１６）。次に、基地局装置１００は、データを受信してＡＣＫ／ＮＡＣＫ等の応答をｅＭＢＢ端末３００に返信する（ステップＳ１８）。次いで、ｅＭＢＢ端末３００は、受信した応答をユーザ等に出力する。
【００５０】
図５は、本実施形態に係る基地局装置１００とＵＲＬＬＣ端末２００とのグラントフリー送信処理の流れの一例を示すシーケンス図である。図５に示すように、まず、基地局装置１００は、リソース割り当てを行う（ステップＳ２２）。ここで割り当てられるリソースは、グラントフリー送信可能リソースである。ｅＭＢＢ端末３００は、送信すべきデータが発生するまでは、割り当てられたグラントフリー送信可能リソースを使用しない。ユーザ入力等により送信すべきデータが発生すると、ｅＭＢＢ端末３００は、割り当てられたグラントフリー送信可能リソースを使用してデータを送信する（ステップＳ２４）。次に、基地局装置１００は、データを受信してＡＣＫ／ＮＡＣＫ等の応答を基地局装置１００に返信する（ステップＳ２６）。次いで、基地局装置１００は、受信した応答をユーザ等に出力する。
【００５１】
図４と図５を比較すると、送信すべきデータが発生してから送信完了までの時間または応答が得られるまでの応答時間は、グラントベース送信よりもグラントフリー送信の方が短い。従って、グラントフリー送信の方が低遅延通信を実現することができる。
【００５２】
＜＜２．各装置の構成例＞＞
＜２．１．基地局装置の構成例＞
図６は、本実施形態に係る基地局装置１００の構成の一例を示すブロック図である。図６を参照すると、基地局装置１００は、アンテナ部１１０、無線通信部１２０、ネットワーク通信部１３０、記憶部１４０及び制御部１５０を備える。
【００５３】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００５４】
（２）無線通信部１２０
無線通信部１２０は、信号を送受信する。例えば、無線通信部１２０は、端末装置へのダウンリンク信号を送信し、端末装置からのアップリンク信号を受信する。
【００５５】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００５６】
（４）記憶部１４０
記憶部１４０は、基地局装置１００の動作のためのプログラム及び様々なデータを一時的に又は恒久的に記憶する。
【００５７】
（５）制御部１５０
制御部１５０は、基地局装置１００全体の動作を制御して、基地局装置１００の様々な機能を提供する。制御部１５０は、設定部１５１及び通信処理部１５３を含む。
【００５８】
設定部１５１は、端末装置に対して静的又は準静的な設定を行う機能を有する。とりわけ、ＵＲＬＬＣ端末２００に関しては、設定部１５１は、グラントフリー送信可能リソースに関する設定情報を送信して、ＵＲＬＬＣ端末２００にグラントフリー送信可能リソースを割り当てる。その他にも、設定情報は、後述するスクランブル情報、共通の制御チャネルにおける特定のＵＲＬＬＣ端末２００に対応するビット位置、グラントフリー送信パラメータ情報の通知周期、及びグラントフリー送信パラメータ情報の適用区間等を含み得る。設定部１５１は、これらの情報を含む設定情報をＵＲＬＬＣ端末２００に送信することで、ＵＲＬＬＣ端末２００の設定を行う。設定部１５１による静的又は準静的な設定は、例えばＲＲＣシグナリングにより行われ得る。
【００５９】
通信処理部１５３は、端末装置に対して動的な制御を行い端末装置との通信を行う機能を有する。とりわけ、ＵＲＬＬＣ端末２００に関しては、通信処理部１５３は、後述するグラントフリー送信パラメータ情報をＵＲＬＬＣ端末２００に送信して、ＵＲＬＬＣ端末２００との間でグラントフリー送信パラメータ情報に基づく通信を行う。詳しくは、基地局装置１００は、ＵＲＬＬＣ端末２００によりグラントフリー送信パラメータ情報に基づいて送信されたＵＲＬＬＣデータを受信する。ｅＭＢＢ端末３００に関しては、通信処理部１５３は、後述するグラントベース送信パラメータ情報をｅＭＢＢ端末３００に送信して、ｅＭＢＢ端末３００との間でグラントベース送信パラメータ情報に基づく通信を行う。詳しくは、基地局装置１００は、ｅＭＢＢ端末３００によりグラントベース送信パラメータ情報に基づいて送信されたｅＭＢＢデータを受信する。なお、これらのパラメータ情報は、動的に送信されるものであり、例えば制御チャネルを介して送信される。
【００６０】
制御部１５０は、これらの構成要素以外の他の構成要素をさらに含み得る。即ち、制御部１５０は、これらの構成要素の動作以外の動作も行い得る。
【００６１】
＜２．２．ＵＲＬＬＣ端末の構成例＞
図７は、本実施形態に係るＵＲＬＬＣ端末２００の構成の一例を示すブロック図である。図７を参照すると、ＵＲＬＬＣ端末２００は、アンテナ部２１０、無線通信部２２０、記憶部２３０及び制御部２４０を備える。
【００６２】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００６３】
（２）無線通信部２２０
無線通信部２２０は、信号を送受信する。例えば、無線通信部２２０は、基地局からのダウンリンク信号を受信し、基地局へのアップリンク信号を送信する。
【００６４】
（３）記憶部２３０
記憶部２３０は、ＵＲＬＬＣ端末２００の動作のためのプログラム及び様々なデータを一時的に又は恒久的に記憶する。
【００６５】
（４）制御部２４０
制御部２４０は、ＵＲＬＬＣ端末２００全体の動作を制御して、ＵＲＬＬＣ端末２００の様々な機能を提供する。制御部２４０は、設定部２４１及び通信処理部２４３を含む。
【００６６】
設定部２４１は、基地局装置１００からの静的又は準静的な設定を受け付ける機能を有する。詳しくは、設定部２４１は、基地局装置１００から受信した設定情報に基づいて、グラントフリー送信可能リソースに関する設定を行う。その他にも、設定情報は、後述するスクランブル情報、共通の制御チャネルにおける特定のＵＲＬＬＣ端末２００に対応するビット位置、グラントフリー送信パラメータ情報の通知周期、及びグラントフリー送信パラメータ情報の適用区間等を含み得る。設定部２４１は、受信した設定情報に基づいてこれらの設定も行い得る。
【００６７】
通信処理部２４３は、基地局装置１００による動的な制御に基づいて基地局装置１００との通信を行う機能を有する。詳しくは、通信処理部２４３は、基地局装置１００から受信した後述するグラントフリー送信パラメータ情報に基づいて、基地局装置１００との間で通信を行う。
【００６８】
制御部２４０は、これらの構成要素以外の他の構成要素をさらに含み得る。即ち、制御部２４０は、これらの構成要素の動作以外の動作も行い得る。
【００６９】
＜＜３．技術的特徴＞＞
以下、本実施形態の技術的特徴を説明する。
【００７０】
なお、以下では、「規定」とは、標準規格において仕様として定義されることを指すものとする。また、「設定」とは、ＲＲＣシグナリング等により準静的に又は制御チャネル等により動的に指示されることを指すものとする。
【００７１】
＜３．１．動的リソースシェアリング＞
ＵＲＬＬＣ端末２００はグラントフリー送信を行うので、グラントフリー送信可能リソースには実際には送信に使用されないリソースが存在し得る。そのため、ＵＲＬＬＣ端末２００に対してグラントフリー送信可能リソースとして割り当てられるリソースをＵＲＬＬＣ端末２００が占有する場合、当該ＵＲＬＬＣ端末２００によって使用されないリソースは無駄になってしまう。その結果、上りリンクリソースの利用効率の低下を招く。
【００７２】
そこで、本実施形態に係るシステム１は、グラントフリー送信可能リソースとグラントベース送信リソースとの動的リソースシェアリングを行う。具体的には、ｅＭＢＢデータが、グラントフリー送信可能リソースの少なくとも一部と同一の直交リソース（周波数及び時間）を用いて送信される。換言すると、基地局装置１００は、グラントフリー送信可能リソースの少なくとも一部を、ｅＭＢＢ端末３００にグラントベース送信リソースとして割り当てる。これにより、グラントフリー送信可能リソースには実際には送信に使用されないリソースが、ｅＭＢＢデータの送信のために使用されることとなり、上りリンクリソースの利用効率を向上させることが可能となる。この点について、図８を参照して説明する。
【００７３】
図８は、本実施形態に係る動的リソースシェアリングの一例を説明するための図である。図８の縦軸は周波数であり横軸は時間である。図８に示すように、基地局装置１００は、グラントフリー送信可能リソース５０をＵＲＬＬＣ端末２００に割り当てる。ＵＲＬＬＣ端末２００は、割り当てられたグラントフリー送信可能リソース５０の中から使用する上りリンクリソースを選択し、選択された上りリンクリソースを用いてＵＲＬＬＣデータを上りリンク送信する。一方で、ＵＲＬＬＣ端末２００は、割り当てられたグラントフリー送信可能リソース５０のうち選択されなかった上りリンクリソースを使用しない。図８に示した例では、不使用リソース５１はＵＲＬＬＣデータの送信に使用されないリソースであり、使用リソース５２はＵＲＬＬＣデータの送信に使用されないリソースである。
【００７４】
図８に示すように、基地局装置１００は、グラントフリー送信可能リソース５０を含む上りリンクリソースを、グラントベース送信リソース６０としてｅＭＢＢ端末３００に割り当てる。即ち、基地局装置１００は、グラントフリー送信可能リソース５０とグラントベース送信リソース６０とを重複（オーバーラップ）させて割り当てる。ｅＭＢＢ端末３００は、典型的には、グラントベース送信リソース６０の全体を使用して、即ち不使用リソース５１をも使用して、ｅＭＢＢデータを上りリンク送信する。ＵＲＬＣＣデータの送信には使用されない不使用リソース５１が、ｅＭＢＢデータの送信のために使用されることになるので、上りリンクリソースの利用効率を向上させることが可能となる。さらに、上りリンクリソースにおけるスケジューリングの柔軟性を高めることが可能となる。
【００７５】
なお、グラントフリー送信可能リソース５０は、例えば所定の周波数リソース（サブキャリア、リソースブロック等）及び所定の時間リソース（シンボル、ＵＲＬＬＣフレーム等）から成る単位リソースにより構成される。図８に示した例では、グラントフリー送信可能リソース５０は、所定のｅＭＢＢフレームにおいて、周波数方向に１個、時間方向に７個の単位リソースにより構成されている。本技術はこの例に限定されず、例えば周波数方向に２個以上の単位リソースにより構成されていてもよい。また、本技術は、例えば時間方向において半永続的な単位リソースにより構成されていてもよい。
【００７６】
グラントフリー送信可能リソース５０の使用リソース５２においては、ＵＲＬＬＣデータ及びｅＭＢＢデータの両方が上りリンク送信される。従って、ＵＲＬＬＣデータとｅＭＢＢデータとの間で干渉が生じ得る。ｅＭＢＢデータは、常に全ての上りリンクリソースを用いて送信されるとは限らない。この点、図９を参照して説明する。
【００７７】
図９は、本実施形態に係る動的リソースシェアリングの一例を説明するための図である。図９の縦軸は周波数であり横軸は時間である。図９に示すように、グラントフリー送信可能リソース５０Ａはグラントベース送信リソースとオーバーラップしない一方で、グラントフリー送信可能リソース５０Ｂはグラントベース送信リソース６０とオーバーラップする。従って、使用リソース５２Ａを用いて送信されるＵＲＬＬＣデータにはｅＭＢＢデータによる干渉が発生しない一方で、使用リソース５２Ｂを用いて送信されるＵＲＬＬＣデータにはｅＭＢＢデータによる干渉が発生する。
【００７８】
ＵＲＬＬＣデータは、ｅＭＢＢデータのよる干渉の有無によって伝送品質が変わる。従って、ＵＲＬＬＣデータを送信するためのパラメータ情報（以下、グラントフリー送信パラメータ情報とも称する）の最適値は、干渉の有無によって異なる。しかしながら、典型的なグラントフリー送信においては、グラントフリー送信可能リソースと共にグラントフリー送信パラメータ情報がＲＲＣシグナリングにより準静的に設定されていた。そのため、ｅＭＢＢフレームごとに干渉の有無が変化し得るにも関わらず、グラントフリー送信パラメータ情報は干渉の有無に追従して変化することはなかった。その結果、ＵＲＬＬＣデータの伝送効率が劣化していた。
【００７９】
そこで、基地局装置１００は、干渉の有無に応じて、即ち、グラントフリー送信可能リソースとグラントベース送信リソースとのオーバーラップの有無に応じて、動的にグラントフリー送信パラメータ情報を切り替える。詳しくは、まず、基地局装置１００は、ｅＭＢＢ端末３００との通信（例えば、ｅＭＢＢ端末３００からのリソース割り当て要求の受信）により、どのタイミングで上述した干渉が発生し得るか（即ち、どのタイミングでｅＭＢＢデータが上りリンク送信されるか）を把握する。そして、基地局装置１００は、干渉が発生しない区間においては干渉がない場合に適した第１のグラントフリー送信パラメータ情報を設定し、干渉が発生する区間においては干渉がある場合に適した第２のグラントフリー送信パラメータ情報を設定する。
【００８０】
本明細書では、第１のグラントフリー送信パラメータ情報及び第２のグラントフリー送信パラメータ情報の２つがあるものとして説明するが、本技術はかかる例に限定されない。例えば３つ以上のグラントフリー送信パラメータ情報があってもよい。例えば、３つ以上のグラントフリー送信パラメータ情報から、干渉の大きさに応じてグラントフリー送信パラメータ情報が切り替えられてもよい。また、グラントフリー送信パラメータ情報の適応制御は、干渉の大きさに基づいて行われることに限定されるものではなく、基地局装置１００と他の端末装置とのスケジューリングなどの様々な要因に基づいて行われてもよい。
【００８１】
基地局装置１００は、グラントフリー送信パラメータ情報を、例えば所定の周期で送信する下りリンク制御チャネルを用いて通知する。ＵＲＬＬＣ端末２００は、所定の下りリンク制御チャネルで通知されたグラントフリー送信パラメータ情報を、所定のグラントフリー送信可能リソースに適用する。ＵＲＬＬＣ端末２００は、適用対象のグラントフリー送信可能リソースでは、通知されたグラントフリー送信パラメータ情報を用いてグラントフリー送信する。この点について、図１０及び図１１を参照して説明する。
【００８２】
図１０は、本実施形態に係るグラントフリー送信パラメータ情報の設定処理を説明するための図である。図１０に示すように、基地局装置１００は、ｅＭＢＢフレーム＃ｎの上りリンク（ＰＵＳＣＨ）において適用すべきグラントフリー送信パラメータ情報＃ｎを、ｅＭＢＢフレーム＃ｎ−１の下りリンク制御チャネル（ＰＤＣＣＨ）において通知する。このとき、基地局装置１００は、ｅＭＢＢフレーム＃ｎにおいてｅＭＢＢデータが送信されるか否かに応じて、グラントフリー送信パラメータ情報＃ｎとして第１の又は第２のグラントフリー送信パラメータ情報を通知する。そして、ＵＲＬＬＣ端末２００は、ｅＭＢＢフレーム＃ｎ−１の下りリンク制御チャネルにいて通知されたグラントフリー送信パラメータ情報＃ｎを用いて、ｅＭＢＢフレーム＃ｎの上りリンクにおけるグラントフリー送信を行う。このような処理により、ＵＲＬＬＣ端末２００は、干渉の有無に応じた最適なグラントフリー送信を行うことが可能となる。ｅＭＢＢフレーム＃ｎ以外のフレームについても同様である。
【００８３】
図１１は、本実施形態に係るグラントフリー送信パラメータ情報の設定処理の流れの一例を説明するためのシーケンス図である。本シーケンスには、基地局装置１００及びＵＲＬＬＣ端末２００が関与する。図１１に示すように、まず、基地局装置１００は、ＲＲＣシグナリングによりグラントフリー送信に関する設定をＵＲＬＬＣ端末２００に行う（ステップＳ１０２）。ここでのグラントフリー送信に関する設定は、少なくともグラントフリー送信可能リソースの割り当てを示す情報を含む。次いで、基地局装置１００は、グラントフリー送信パラメータ情報をＵＲＬＬＣ端末２００に通知する（ステップＳ１０４）。次に、ＵＲＬＬＣ端末２００は、通知されたグラントフリー送信パラメータ情報を用いて上りリンクデータをグラントフリー送信する（ステップＳ１０６、Ｓ１０８）。以降の処理（ステップＳ１１０〜Ｓ１１４）は、ステップＳ１０４〜Ｓ１０８の繰り返しである。
【００８４】
上記では、図１に示したように、１つの基地局装置１００とそのカバレッジ内のＵＲＬＬＣ端末２００及びｅＭＢＢ端末３００との関係で動的リソースシェアリングを説明したが、本技術はかかる例に限定されない。例えば、隣接する複数の基地局装置１００とそれらのセルエッジのＵＲＬＬＣ端末２００及びｅＭＢＢ端末３００との関係で動的リソースシェアリングが行われてもよい。具体的には、異なる基地局装置１００と通信するＵＲＬＬＣ端末２００とｅＭＢＢ端末３００との間で干渉が生じるか否かに応じて、ＵＲＬＬＣ端末２００に適用されるグラントフリー送信パラメータ情報が動的に切り替えられてもよい。
【００８５】
＜３．２．パラメータ情報＞
パラメータ情報は、絶対値等のパラメータ情報のみで使用可能な情報であってもよいし、相対値等の基準とする情報との関係で使用可能となる情報であってもよい。後者の場合、パラメータ情報は、基準となる情報（例えば、予め規定された値、ＲＲＣシグナリングで設定された値、又は直近の値）に対する差分を示す情報である。
【００８６】
＜３．２．１．グラントフリー送信パラメータ情報＞
グラントフリー送信パラメータ情報は、グラントフリー送信される上りリンクデータのために用いられる。基地局装置１００は、グラントフリー送信パラメータ情報を生成してＵＲＬＬＣ端末２００に送信する。ＵＲＬＬＣ端末２００は、受信したグラントフリー送信パラメータ情報に基づいてＵＲＬＬＣデータを生成して、ＵＲＬＬＣデータを基地局装置１００に送信する。
【００８７】
基地局装置１００は、干渉の有無に応じて、即ちグラントフリー送信可能リソースとグラントベース送信リソースとのオーバーラップの有無に応じて、異なるグラントフリー送信パラメータ情報を決定する。より簡易には、グラントフリー送信パラメータ情報は、ｅＭＢＢデータの有無に基づいて決定される。例えば、基地局装置１００は、干渉がない場合、即ちグラントフリー送信可能リソースとグラントベース送信リソースとのオーバーラップが無い場合、ＵＲＬＬＣ端末２００に第１のグラントフリー送信パラメータ情報を設定する。一方で、基地局装置１００は、干渉がある場合、即ちグラントフリー送信可能リソースとグラントベース送信リソースとのオーバーラップがある場合、ＵＲＬＬＣ端末２００に第２のグラントフリー送信パラメータ情報を設定する。
【００８８】
グラントフリー送信パラメータ情報は、以下で説明する情報のいずれか、又はそれらの組み合わせを含む情報である。
【００８９】
（１）変調方式および／または符号化率
グラントフリー送信パラメータ情報は、グラントフリー送信の上りリンクデータに用いられる変調方式及び／又は符号化率に関する情報であってもよい。
【００９０】
例えば、第１のグラントフリー送信パラメータ情報は、相対的に高い利用効率の変調方式および／または符号化率（すなわち、高い変調オーダーの変調方式および／または高い符号化率）を示す。第２のグラントフリー送信パラメータ情報は、相対的に低い利用効率の変調方式および／または符号化率（すなわち、低い変調オーダーの変調方式および／または低い符号化率）を示す。
【００９１】
このような切り替えにより、干渉がない場合、第１のグラントフリー送信パラメータ情報により伝送効率の高い送信が可能となる。干渉がある場合、第２のグラントフリー送信パラメータ情報により干渉に対する耐性の高い送信が可能となる。
【００９２】
（２）送信電力
グラントフリー送信パラメータ情報は、グラントフリー送信の上りリンクデータに用いられる送信電力に関する情報であってもよい。
【００９３】
例えば、第１のグラントフリー送信パラメータ情報は、相対的に低い送信電力を示す。第２のグラントフリー送信パラメータ情報は、相対的に高い送信電力を示す。
【００９４】
このような切り替えにより、干渉がない場合、第１のグラントフリー送信パラメータ情報により不要な送信電力を低減させるため、端末の消費電力の低減が可能となる。干渉がある場合、第２のグラントフリー送信パラメータ情報により干渉に対する耐性の高い送信が可能となる。
【００９５】
（３）レイヤ数（空間多重数）
グラントフリー送信パラメータ情報は、グラントフリー送信の上りリンクデータに用いられるレイヤ数（空間多重数、ＭＩＭＯ多重数）に関する情報であってもよい。
【００９６】
例えば、第１のグラントフリー送信パラメータ情報は、相対的に高いレイヤ数を示し、第２のグラントフリー送信パラメータ情報は、相対的に低いレイヤ数を示す。また、例えば、第１のパラメータは、１以上のレイヤ数を示し、第２の送信パラメータは、１のレイヤ数のみを示す。
【００９７】
このような切り替えにより、干渉がない場合、第１のグラントフリー送信パラメータ情報により伝送効率の高い送信が可能となる。干渉がある場合、第２のグラントフリー送信パラメータ情報により干渉に対する耐性の高い送信が可能となる。
【００９８】
（４）空間領域に関する送信方法
グラントフリー送信パラメータ情報は、グラントフリー送信の上りリンクデータに用いられる空間領域に関する送信方法に関する情報であってもよい。空間領域に関する送信方法は、ＭＩＭＯ（Multiple  Input  Multiple  Output）送信およびＳＦＢＣ（space  frequency  block  coding）などの送信ダイバーシチを含む。
【００９９】
例えば、第１のグラントフリー送信パラメータ情報は、相対的に高い利用効率の送信が可能な送信方法を示し、第２のグラントフリー送信パラメータ情報は、相対的に低い利用効率の送信が可能な送信方法を示す。ここで、相対的に高い利用効率の送信方法は、例えば複数のデータを空間多重するＭＩＭＯ送信であり、相対的に低い利用効率の送信方法は、例えばひとつのデータを空間多重する送信ダイバーシチである。
【０１００】
このような切り替えにより、干渉がない場合、第１のグラントフリー送信パラメータ情報により伝送効率の高い送信が可能となる。干渉がある場合、第２のグラントフリー送信パラメータ情報により干渉に対する耐性の高い送信が可能となる。
【０１０１】
（５）非直交領域に関する送信方法
グラントフリー送信パラメータ情報は、グラントフリー送信の上りリンクデータに用いられる非直交領域に関する送信方法に関する情報であってもよい。例えば、グラントフリー送信パラメータ情報は、上述した非直交リソースを用いたユーザ多重方式（多元接続方式）のいずれかを示す情報であってもよい。また、グラントフリー送信パラメータ情報は、非直交リソースを用いたユーザ多重方式の有無を示す情報であってもよい。即ち、非直交領域に関する送信方法に関するグラントフリー送信パラメータ情報は、非直交リソースを用いた送信方法を示す情報であってもよいし、非直交リソースを用いない送信方法（即ち、直交リソースのみを用いる送信方法）を示す情報であってもよい。
【０１０２】
例えば、第１のグラントフリー送信パラメータ情報は、相対的に高い利用効率の非直交リソースパターンによる送信を示し、第２のグラントフリー送信パラメータ情報は、相対的に低い利用効率の非直交リソースパターンによる送信を示す。また、例えば、第１のグラントフリー送信パラメータ情報は、非直交リソースを用いない送信方法（直交リソースのみを用いる送信方法）を示し、第２のグラントフリー送信パラメータ情報は、非直交リソースを用いた送信方法を示す。
【０１０３】
このような切り替えにより、干渉がない場合、第１のパラメータにより伝送効率の高い送信が可能となる。干渉がある場合、第２のパラメータにより干渉に対する耐性の高い送信が可能となる。
【０１０４】
（６）信号波形
グラントフリー送信パラメータ情報は、グラントフリー送信の上りリンクデータに用いられる信号波形に関する情報であってもよい。信号波形としては、上述したように、ＣＰ−ＯＦＤＭ信号およびＤＦＴ−ｓ−ＯＦＤＭ信号等が考えられる。
【０１０５】
例えば、第１のグラントフリー送信パラメータ情報は、相対的にＰＡＰＲが高い信号波形を示す。第２のグラントフリー送信パラメータ情報は、相対的にＰＡＰＲが低い信号波形を示す。ここで、相対的にＰＡＰＲが高い信号波形は、例えばＣＰ−ＯＦＤＭ信号であり、相対的にＰＡＰＲが低い信号波形は、例えばＤＦＴ−ｓ−ＯＦＤＭ信号である。
【０１０６】
このような切り替えにより、干渉がない場合、第１のグラントフリー送信パラメータ情報によりＰＡＰＲが高いが伝送効率の高い送信が可能となる。干渉がある場合、第２のグラントフリー送信パラメータ情報によりＰＡＰＲを低くすることができ、干渉に対する耐性の高い送信が可能となる。
【０１０７】
（７）スロット長
グラントフリー送信パラメータ情報は、グラントフリー送信の上りリンクデータに用いられるスロット長に関する情報であってもよい。スロット長は、上述したように、シンボル数および／または１シンボルの時間長（すなわち、サブキャリア間隔）により規定又は設定され得る。その他、スロット長は、１つ以上のＵＲＬＬＣスロットの集合（アグリゲーション）により規定又は設定されてもよい。
【０１０８】
例えば、第１のグラントフリー送信パラメータ情報は、相対的に短いスロット長を示す。第２のグラントフリー送信パラメータ情報は、相対的に長いスロット長を示す。
【０１０９】
このような切り替えにより、干渉がない場合、第１のグラントフリー送信パラメータ情報によりデータ送信に用いられる時間を短縮することができ、伝送効率の高い送信が可能となる。干渉がある場合、第２のグラントフリー送信パラメータ情報によりデータ送信に用いられるリソースを増やすことができ、干渉に対する耐性の高い送信が可能となる。
【０１１０】
（８）データ送信の繰り返し数
グラントフリー送信パラメータ情報は、グラントフリー送信の上りリンクデータに対する送信の繰り返し数に関する情報であってもよい。データ送信の繰り返しとは、同じデータを異なる物理リソースで複数回送信することである。これにより、データの信頼性が高まる。
【０１１１】
例えば、第１のグラントフリー送信パラメータ情報は、相対的に少ない繰り返し数を示し、第２のグラントフリー送信パラメータ情報は、相対的に多い繰り返し数を示す。また、例えば、第１のグラントフリー送信パラメータ情報は、データ送信の繰り返しを行わない送信を示し。第２の送信パラメータは、データ送信の繰り返しを１回以上行う送信を示す。
【０１１２】
このような切り替えにより、干渉がない場合、第１のグラントフリー送信パラメータ情報により不要なデータ送信を低減させることができ、伝送効率の高い送信が可能となる。干渉がある場合、第２のグラントフリー送信パラメータ情報によりデータの信頼性を向上させることができ、干渉に対する耐性の高い送信が可能となる。
【０１１３】
（９）ビームパターン
グラントフリー送信パラメータ情報は、グラントフリー送信の上りリンクデータに用いられるビームパターン（即ち、プリコーディングパターン）に関する情報であってもよい。ビームパターンは、ビームの方向、及びビームの大きさ（鋭さ）に関するパターンである。
【０１１４】
例えば、第１のグラントフリー送信パラメータ情報は、相対的に伝送効率の高い基地局装置１００に対するビーム方向を示す。第２のグラントフリー送信パラメータ情報は、相対的に干渉の少ない基地局装置１００に対するビーム方向を示す。
【０１１５】
このような切り替えにより、干渉がない場合、第１のグラントフリー送信パラメータ情報により伝送効率の高い送信が可能となる。干渉がある場合、第２のグラントフリー送信パラメータ情報により干渉の少ない送信が可能となる。
【０１１６】
＜３．２．２．グラントベース送信パラメータ情報＞
グラントベース送信パラメータ情報は、グラントベース送信される上りリンクデータのために用いられる。基地局装置１００は、グラントベース送信パラメータ情報を生成してｅＭＢＢ端末３００に送信する。ｅＭＢＢ端末３００は、受信したグラントベース送信パラメータ情報に基づいてｅＭＢＢデータを生成して、ｅＭＢＢデータを基地局装置１００に送信する。
【０１１７】
グラントベース送信パラメータ情報は、グラントフリー送信パラメータ情報と同様に、変調方式、符号化率、送信電力、レイヤ数（空間多重数）、空間領域に関する送信方法、非直交領域に関する送信方法、信号波形、スロット長、データ送信の繰り返し数、又はビームパターンの少なくともいずれかに関する情報を含み得る。
【０１１８】
ただし、グラントベース送信パラメータ情報は、グラントフリー送信パラメータ情報とは異なり、干渉の有無に応じた設定値の切り替えは行われない。グラントフリー送信を行うＵＲＬＬＣ端末２００が割り当てられたリソースを用いた送信を実際に行うか否かを、基地局装置１００は知り得ないためである。
【０１１９】
さらに、グラントベース送信パラメータ情報は、上りリンク送信に用いるリソース（時間、周波数、および／または符号）に関する情報を含む。注意すべきは、グラントフリー送信に関しては、上りリンク送信に用いるリソースに関する情報は静的又は準静的に設定されるので、グラントフリー送信パラメータ情報には上りリンク送信に用いるリソースに関する情報が含まれない点である。
【０１２０】
＜３．３．グラントフリー送信パラメータ情報の通知方法＞
基地局装置１００は、グラントフリー送信パラメータ情報を、制御チャネルを用いてＵＲＬＬＣ端末２００に送信することで、グラントフリー送信パラメータ情報の通知を行う。通知方法は、多様に考えられる。例えば、通知方法は、明示的な通知方法と黙示的な通知方法とに分類される。
【０１２１】
（１）明示的な通知方法
明示的な通知方法とは、グラントフリー送信パラメータ情報を直接的に通知する方法である。
【０１２２】
基地局装置１００は、物理レイヤにおける下りリンク制御チャネルを用いてグラントフリー送信パラメータ情報を通知してもよい。グラントフリー送信パラメータ情報の通知に用いられる制御チャネルは、以下のいずれかである。
【０１２３】
・端末固有の制御チャネル
端末固有の制御チャネルとは、個別のＵＲＬＬＣ端末２００宛てに送信される制御チャネルである。基地局装置１００は、個別のＵＲＬＬＣ端末２００宛てに送信する制御チャネルにおいて、当該ＵＲＬＬＣ端末２００が設定すべきグラントフリー送信パラメータ情報を含む制御情報を送信する。端末固有の制御チャネルが用いられる場合、ＵＲＬＬＣ端末２００に対する個別のグラントフリー送信パラメータ情報を通知することが可能であるので、基地局装置１００は、細かな設定をすることが可能である。
【０１２４】
端末固有の制御チャネルは、誤り訂正符号化が行われ、誤り訂正符号化により得られる冗長ビットがＵＲＬＬＣ端末２００に固有のスクランブル情報（例えば、スクランブルＩＤ）によりスクランブルされて生成される。そのため、ＵＲＬＬＣ端末２００は、ＵＲＬＬＣ端末２００自身宛ての制御情報を含む制御チャネルを認識可能となる。
【０１２５】
スクランブル情報は、グラントフリー送信のために個別に設定されてもよい。その場合、スクランブル情報は、ＲＲＣシグナリングによりＵＲＬＬＣ端末２００に通知される。
【０１２６】
・複数の端末に共通の制御チャネル
複数の端末に共通の制御チャネルとは、複数のＵＲＬＬＣ端末２００宛てに送信される制御チャネルである。基地局装置１００は、複数のＵＲＬＬＣ端末２００宛てに送信する制御チャネルにおいて、当該複数のＵＲＬＬＣ端末２００が設定すべきグラントフリー送信パラメータ情報を含む制御情報を送信する。
【０１２７】
制御情報は、複数のＵＲＬＬＣ端末２００の各々に対するグラントフリー送信パラメータ情報を多重した情報であってもよい。例えば、１台のＵＲＬＬＣ端末２００に対するグラントフリー送信パラメータ情報が２ビットである場合、１０台のＵＲＬＬＣ端末２００に共通の制御チャネルでは２０ビットの制御情報が送信されてもよい。この場合、多重される複数のグラントフリー送信パラメータ情報のうち各々のＵＲＬＬＣ端末２００に対応するグラントフリー送信パラメータ情報を特定するための情報（例えば、ビット位置）は、各々のＵＲＬＬＣ端末２００に対して予め設定されていてもよい。この設定は、例えばＲＲＣシグナリングにより行われる。各々のＵＲＬＬＣ端末２００は、かかる設定に基づいて自身宛てのグラントフリー送信パラメータ情報を取得する。
【０１２８】
制御情報は、複数のＵＲＬＬＣ端末２００に対して共通のグラントフリー送信パラメータ情報を含んでいてもよい。この場合、グラントフリー送信パラメータ情報の通知のためのオーバーヘッドを抑制することが可能である。
【０１２９】
複数の端末に共通の制御チャネルは、誤り訂正符号化が行われ、誤り訂正符号化により得られる冗長ビットが対象の複数ＵＲＬＬＣ端末２００に共通のスクランブル情報によりスクランブルされて生成される。そのため、対象の複数のＵＲＬＬＣ端末２００の各々は、自身を含む複数のＵＲＬＬＣ端末２００宛ての制御情報を含む制御チャネルを認識可能となる。
【０１３０】
スクランブル情報は、グラントフリー送信のために個別に設定されてもよい。その場合、スクランブル情報は、ＲＲＣシグナリングによりＵＲＬＬＣ端末２００に通知される。
【０１３１】
（２）黙示的な通知方法
黙示的な通知方法とは、グラントフリー送信パラメータ情報を他の情報に紐付けて間接的に通知する方法である。
【０１３２】
例えば、グラントフリー送信パラメータ情報は、スロットフォーマット情報に紐付けて通知される。
【０１３３】
スロットフォーマット情報は、１つ以上のスロット毎に通知される情報であり、上りリンクや下りリンクなどのスロットにおけるフォーマット（スロット構成）を示す情報である。スロットフォーマット情報は、上述したように、そのスロットが上りリンク送信のみ、下りリンク送信のみ、下りリンク送信および上りリンク送信の組み合わせ、ブランクなどを示す情報である。例えば、スロットフォーマット情報は、時間分割複信（TDD:  Time  Division  Duplex）を用いる周波数キャリアで通知される。
【０１３４】
例えば、スロットフォーマット情報が第１のフォーマットである場合、ＵＲＬＬＣ端末２００は、第１のグラントフリー送信パラメータ情報をグラントフリー送信パラメータ情報として用いる。一方で、スロットフォーマット情報が第２のフォーマットである場合、ＵＲＬＬＣ端末２００は、第２のグラントフリー送信パラメータ情報をグラントフリー送信パラメータ情報として用いる。具体的には、第１のフォーマットは、ＵＲＬＬＣ端末２００のみ送信可能なフォーマットであり、第２のフォーマットは、ＵＲＬＬＣ端末２００およびｅＭＢＢ端末３００の両方が送信可能なフォーマットであってもよい。
【０１３５】
（３）通知タイミング
基地局装置１００は、グラントフリー送信パラメータ情報を含む下りリンク制御チャネルを、所定のスロット（第１のスロットに相当）で通知する。
【０１３６】
・周期的な通知
基地局装置１００は、グラントフリー送信パラメータ情報を、周期的に通知し得る。その場合、ＵＲＬＬＣ端末２００は、所定の周期で、グラントフリー送信パラメータ情報が含まれる下りリンク制御チャネルを受信する。
【０１３７】
グラントフリー送信パラメータの通知周期は、ｅＭＢＢデータの送信時間間隔に基づいて決まってもよい。換言すると、グラントフリー送信パラメータ情報を含む下りリンク制御チャネルが送信されるスロットは、ｅＭＢＢデータの送信時間間隔に基づいて決まってもよい。例えば、グラントフリー送信パラメータの通知周期は、ｅＭＢＢスロットと同じ長さ又はｅＭＢＢスロットの整数倍と同じ長さであってもよい。すなわち、グラントフリー送信パラメータの通知周期は、７又は１４シンボルの整数倍と同じ長さであってもよい。この場合、基地局装置１００は、グラントフリー送信パラメータ情報の適応制御を、ｅＭＢＢスロット長を単位として行うことが可能となる。
【０１３８】
グラントフリー送信パラメータ情報の通知周期は、１つのサブフレーム長である１ミリ秒を単位とした長さであってもよい。
【０１３９】
グラントフリー送信パラメータ情報の通知周期は、１つの無線フレーム長である１０ミリ秒を単位とした長さであってもよい。
【０１４０】
グラントフリー送信パラメータ情報の通知周期は、予め規定又はＲＲＣシグナリングにより設定されてもよい。
【０１４１】
・非周期的な通知
基地局装置１００は、グラントフリー送信パラメータ情報を、非周期的に通知する。その場合、ＵＲＬＬＣ端末２００は、グラントフリー送信パラメータ情報が含まれ得る下りリンク制御チャネルのモニタリング（即ち、ブラインド検出）を行う。
【０１４２】
グラントフリー送信パラメータ情報を含む下りリンク制御チャネルが送信されるスロットは、ｅＭＢＢデータの送信時間間隔に基づいて決まる周期、即ち上述した通知周期に基づいて決まってもよい。詳しくは、基地局装置１００は、上述した通知周期のうち、グラントフリー送信パラメータ情報を変更すべきタイミングで、グラントフリー送信パラメータ情報を含む下りリンク制御チャネルを送信する。グラントフリー送信パラメータ情報を変更すべきタイミングとしては、例えば、ＵＲＬＬＣデータとｅＭＢＢデータとのリソースのオーバーラップの有無に変化があったタイミング、ｅＭＢＢデータの内容が変わったタイミング、及び干渉相手のｅＭＢＢ端末３００が変わったタイミング等が挙げられる。ＵＲＬＬＣ端末２００は、上述した通知周期において毎回、グラントフリー送信パラメータ情報を含む下りリンク制御チャネルが送信され得るスロット（即ち、第１のスロット）をモニタリング（即ち、受信）する。ＵＲＬＬＣ端末２００は、モニタリングの結果、グラントフリー送信パラメータ情報を検出した場合、それ以降は、検出したグラントフリー送信パラメータ情報を用いたグラントフリー送信を行う。一方で、ＵＲＬＬＣ端末２００は、モニタリングの結果、グラントフリー送信パラメータ情報を検出しない場合、所定のグラントフリー送信パラメータ情報を用いたグラントフリー送信を行う。具体的には、ＵＲＬＬＣ端末２００は、直近のグラントフリー送信パラメータ情報を引き続き用いて、予め規定されたグラントフリー送信パラメータ情報を用いて、又は基地局装置１００固有若しくはＵＲＬＬＣ端末２００に固有に設定されたグラントフリー送信パラメータ情報を用いて、グラントフリー送信を行う。なお、基地局装置１００固有又はＵＲＬＬＣ端末２００に固有のグラントフリー送信パラメータ情報は、ＲＲＣシグナリングにより設定され得る。
【０１４３】
（４）グラントベース送信パラメータ情報の通知方法
グラントベース送信パラメータ情報の通知方法は、上述したグラントフリー送信パラメータ情報の通知方法と同様である。
【０１４４】
＜３．４．グラントフリー送信パラメータ情報の適用区間＞
ＵＲＬＬＣ端末２００は、グラントフリー送信に関するグラントフリー送信パラメータ情報を受信すると、受信したグラントフリー送信パラメータ情報を適用した送信を行う。
【０１４５】
グラントフリー送信パラメータ情報を受信したＵＲＬＬＣスロット（第１のスロットに相当）と、当該グラントフリー送信パラメータ情報に基づく送信が適用されるＵＲＬＬＣスロットとの対応関係は、予め規定またはＲＲＣシグナリングにより設定される。受信したグラントフリー送信パラメータ情報に基づく送信が適用されるＵＲＬＬＣスロットは、所定数の連続するＵＲＬＬＣスロットからなる区間内のＵＲＬＬＣスロットである。この区間を、グラントフリー送信パラメータ情報の適用区間とも称する。
【０１４６】
グラントフリー送信パラメータ情報の適用区間は、ｅＭＢＢデータの送信時間間隔に基づいて決まってもよい。例えば、グラントフリー送信パラメータ情報の適用区間は、ｅＭＢＢスロットと同じ長さ又はｅＭＢＢスロットの整数倍と同じ長さであってもよい。すなわち、グラントフリー送信パラメータ情報の適用区間は、７又は１４シンボルの整数倍と同じ長さであってもよい。この場合、基地局装置１００は、グラントフリー送信パラメータ情報の適応制御を、ｅＭＢＢスロット長を単位として行うことが可能となる。
【０１４７】
グラントフリー送信パラメータ情報の適用区間は、１つのサブフレーム長である１ミリ秒を単位とした長さであってもよい。
【０１４８】
グラントフリー送信パラメータ情報の適用区間は、１つの無線フレーム長である１０ミリ秒を単位とした長さであってもよい。
【０１４９】
グラントフリー送信パラメータ情報の適用区間の最初のスロット（第２のスロットに相当）は、予め規定又はＲＲＣシグナリングにより設定されてもよい。
【０１５０】
ここで、グラントフリー送信パラメータ情報を受信したスロットと当該グラントフリー送信パラメータ情報の適用区間の最初のスロットとの関係（即ち、時間差）は、ＵＲＬＬＣ端末２００に固有に設定されてもよい。これは、ＵＲＬＬＣ端末２００が制御チャネルを受信してからグラントフリー送信パラメータ情報を検出して当該グラントフリー送信パラメータ情報を適用した送信が可能になるまでにかかる処理時間が、ＵＲＬＬＣ端末２００の能力に応じて変動するためである。よって、グラントフリー送信パラメータ情報を受信したＵＲＬＬＣスロットと当該グラントフリー送信パラメータ情報の適用区間の最初のスロットとの関係は、ＵＲＬＬＣ端末２００の端末能力情報に応じて設定されてもよい。これにより、複数のＵＲＬＬＣ端末２００間で上記処理時間に差異がある場合でも、各々のＵＲＬＬＣ端末２００は、上記処理時間を確保しつつグラントフリー送信パラメータ情報の迅速な適用が可能となる。端末能力情報は、例えば、計算能力、記憶能力、及び電池残量等を示す情報であり、ケイパビリティ情報とも称され得る。
【０１５１】
ＵＲＬＬＣ端末２００は、グラントフリー送信パラメータ情報を受信したスロットと当該グラントフリー送信パラメータ情報の適用区間の最初のスロットとの時間差に関する端末能力情報を基地局装置１００に送信する。これにより、基地局装置１００は、上述したようにグラントフリー送信パラメータ情報を受信したスロットと当該グラントフリー送信パラメータ情報の適用区間の最初のスロットとの時間差をＵＲＬＬＣ端末２００に固有に設定することが可能となる。
【０１５２】
グラントフリー送信パラメータ情報の適用区間は、上述したグラントフリー送信パラメータ情報の通知周期と見なされることができる。即ち、ＵＲＬＬＣ端末２００は、グラントフリー送信パラメータ情報の適用区間内の所定のスロット又はシンボルにおいて通知されるグラントフリー送信パラメータ情報を受信する。より詳しくは、ＵＲＬＬＣ端末２００は、ラントフリー送信パラメータ情報の適用区間内の所定のスロットまたはシンボルにマッピングされるグラントフリー送信パラメータ情報を含む下りリンク制御チャネルをモニタリングする。
【０１５３】
＜３．５．変形例＞
上記では、所定の単位時間に１つのグラントフリー送信可能リソースが与えられた前提でグラントフリー送信パラメータ情報が切り替えられるものとして説明したが、本技術はかかる例に限定されない。例えば、グラントフリー送信パラメータ情報は、グラントフリー送信の上りリンクデータに用いられる物理リソース（時間リソース、周波数リソース、及び／又は符号リソース等）を示す情報を含んでいてもよい。この物理リソースは、上述したグラントフリー送信可能リソースであってもよいし、割り当てられたグラントフリー送信可能リソースのうち使用すべきリソースであってもよい。例えば、ＵＲＬＬＣ端末２００は、所定の単位時間に２つ以上のグラントフリー送信可能リソースが与えられ（設定され）、グラントフリー送信パラメータ情報が設定されたグラントフリー送信可能リソースのうち、使用すべき１つのグラントフリー送信可能リソースを通知することができる。
【０１５４】
例えば、第１のグラントフリー送信パラメータ情報は、第１のリソースを示す。第２のグラントフリー送信パラメータ情報は、第２のリソースを示す。
【０１５５】
ここで、第１のグラントフリー送信パラメータ情報および第２のグラントフリー送信パラメータ情報は、ｅＭＢＢデータによる干渉の有無に依存しなくてもよい。即ち、第１のグラントフリー送信パラメータ情報および第２のグラントフリー送信パラメータ情報は、ｅＭＢＢデータによる干渉とならない（または干渉の低い）物理リソースを通知するために用いられてもよい。この場合、ＵＲＬＬＣ端末２００は、ｅＭＢＢデータによる干渉を受けない又は受ける干渉が低いリソースを用いてＵＲＬＬＣデータを送信することが可能である。
【０１５６】
＜＜４．応用例＞＞
以下、本開示に係る技術の応用例を説明する。なお、本明細書において、ｅＮＢ（evolved  Node  B）は、ｇＮＢとも呼称される。
【０１５７】
本開示に係る技術は、様々な製品へ応用可能である。例えば、基地局装置１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局装置１００は、ＮｏｄｅＢ又はＢＴＳ（Base  Transceiver  Station）などの他の種類の基地局として実現されてもよい。基地局装置１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局装置１００として動作してもよい。
【０１５８】
また、例えば、端末装置２００及び３００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００及び３００は、Ｍ２Ｍ（Machine  To  Machine）通信を行う端末（ＭＴＣ（Machine  Type  Communication）端末ともいう）として実現されてもよい。さらに、端末装置２００及び３００は、これら端末に搭載される無線通信モジュール（例えば、１つのダイで構成される集積回路モジュール）であってもよい。
【０１５９】
＜４．１．基地局装置に関する応用例＞
（第１の応用例）
図１２は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１６０】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１２に示したように複数のアンテナ８１０を有し、複数のアンテナ８１０は、例えばｅＮＢ８００が使用する複数の周波数帯域にそれぞれ対応してもよい。なお、図１２にはｅＮＢ８００が複数のアンテナ８１０を有する例を示したが、ｅＮＢ８００は単一のアンテナ８１０を有してもよい。
【０１６１】
基地局装置８２０は、コントローラ８２１、メモリ８２２、ネットワークインタフェース８２３及び無線通信インタフェース８２５を備える。
【０１６２】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１６３】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１６４】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１６５】
無線通信インタフェース８２５は、図１２に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１２に示したように複数のＲＦ回路８２７を含み、複数のＲＦ回路８２７は、例えば複数のアンテナ素子にそれぞれ対応してもよい。なお、図１２には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１６６】
図１２に示したｅＮＢ８００において、図６を参照して説明した基地局装置１００に含まれる１つ以上の構成要素（設定部１５１及び／又は通信処理部１５３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１６７】
また、図１２に示したｅＮＢ８００において、図６を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０１６８】
（第２の応用例）
図１３は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１６９】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１３に示したように複数のアンテナ８４０を有し、複数のアンテナ８４０は、例えばｅＮＢ８３０が使用する複数の周波数帯域にそれぞれ対応してもよい。なお、図１３にはｅＮＢ８３０が複数のアンテナ８４０を有する例を示したが、ｅＮＢ８３０は単一のアンテナ８４０を有してもよい。
【０１７０】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１２を参照して説明したコントローラ８２１、メモリ８２２及びネットワークインタフェース８２３と同様のものである。
【０１７１】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１２を参照して説明したＢＢプロセッサ８２６と同様のものである。無線通信インタフェース８５５は、図１３に示したように複数のＢＢプロセッサ８５６を含み、複数のＢＢプロセッサ８５６は、例えばｅＮＢ８３０が使用する複数の周波数帯域にそれぞれ対応してもよい。なお、図１３には無線通信インタフェース８５５が複数のＢＢプロセッサ８５６を含む例を示したが、無線通信インタフェース８５５は単一のＢＢプロセッサ８５６を含んでもよい。
【０１７２】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１７３】
また、ＲＲＨ８６０は、接続インタフェース８６１及び無線通信インタフェース８６３を備える。
【０１７４】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１７５】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１３に示したように複数のＲＦ回路８６４を含み、複数のＲＦ回路８６４は、例えば複数のアンテナ素子にそれぞれ対応してもよい。なお、図１３には無線通信インタフェース８６３が複数のＲＦ回路８６４を含む例を示したが、無線通信インタフェース８６３は単一のＲＦ回路８６４を含んでもよい。
【０１７６】
図１３に示したｅＮＢ８３０において、図６を参照して説明した基地局装置１００に含まれる１つ以上の構成要素（設定部１５１及び／又は通信処理部１５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１７７】
また、図１３に示したｅＮＢ８３０において、例えば、図６を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０１７８】
＜４．２．端末装置に関する応用例＞
（第１の応用例）
図１４は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１７９】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１８０】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１８１】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１４に示したように複数のＢＢプロセッサ９１３及び複数のＲＦ回路９１４を含んでもよい。なお、図１４には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１８２】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１８３】
アンテナスイッチ９１５の各々は、無線通信インタフェース９１２に含まれる複数の回路（例えば、異なる無線通信方式のための回路）の間でアンテナ９１６の接続先を切り替える。
【０１８４】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１４に示したように複数のアンテナ９１６を有してもよい。なお、図１４にはスマートフォン９００が複数のアンテナ９１６を有する例を示したが、スマートフォン９００は単一のアンテナ９１６を有してもよい。
【０１８５】
さらに、スマートフォン９００は、無線通信方式ごとにアンテナ９１６を備えてもよい。その場合に、アンテナスイッチ９１５は、スマートフォン９００の構成から省略されてもよい。
【０１８６】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１４に示したスマートフォン９００の各ブロックへ電力を供給する。補助コントローラ９１９は、例えば、スリープモードにおいて、スマートフォン９００の必要最低限の機能を動作させる。
【０１８７】
図１４に示したスマートフォン９００において、図７を参照して説明したＵＲＬＬＣ端末２００に含まれる１つ以上の構成要素（設定部２４１及び／又は通信処理部２４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１８８】
また、図１４に示したスマートフォン９００において、例えば、図７を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０１８９】
（第２の応用例）
図１５は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１９０】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１９１】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１９２】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１９３】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図１５に示したように複数のＢＢプロセッサ９３４及び複数のＲＦ回路９３５を含んでもよい。なお、図１５には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１９４】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１９５】
アンテナスイッチ９３６の各々は、無線通信インタフェース９３３に含まれる複数の回路（例えば、異なる無線通信方式のための回路）の間でアンテナ９３７の接続先を切り替える。
【０１９６】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図１５に示したように複数のアンテナ９３７を有してもよい。なお、図１５にはカーナビゲーション装置９２０が複数のアンテナ９３７を有する例を示したが、カーナビゲーション装置９２０は単一のアンテナ９３７を有してもよい。
【０１９７】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１９８】
バッテリー９３８は、図中に破線で部分的に示した給電ラインを介して、図１５に示したカーナビゲーション装置９２０の各ブロックへ電力を供給する。また、バッテリー９３８は、車両側から給電される電力を蓄積する。
【０１９９】
図１５に示したカーナビゲーション装置９２０において、図７を参照して説明したＵＲＬＬＣ端末２００に含まれる１つ以上の構成要素（設定部２４１及び／又は通信処理部２４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２００】
また、図１５に示したカーナビゲーション装置９２０において、例えば、図７を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０２０１】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２０２】
＜＜５．まとめ＞＞
以上、図１〜図１５を参照して、本開示の一実施形態について詳細に説明した。上記説明したように、本実施形態に係るＵＲＬＬＣ端末２００は、グラントフリー送信されたＵＲＬＬＣデータおよびグラントベース送信されたｅＭＢＢデータを受信する基地局装置１００と通信する端末装置である。ＵＲＬＬＣ端末２００は、基地局装置１００からグラントフリー送信可能リソースに関する静的又は準静的な設定を受ける。他方、ＵＲＬＬＣ端末２００は、グラントフリー送信パラメータ情報を含む下りリンク制御チャネルを所定の第１のスロットにおいて受信する。そして、ＵＲＬＬＣ端末２００は、グラントフリー送信パラメータ情報に基づいてＵＲＬＬＣデータを生成し、グラントフリー送信可能リソースの中から選択した上りリンクリソースを用いてＵＲＬＬＣデータを送信する。このように、ＵＲＬＬＣ端末２００は、静的又は準静的に設定されたグラントフリー送信可能リソースにおいて、動的に制御されたグラントフリー送信パラメータ情報を用いた送信を行う。従って、ＵＲＬＬＣ端末２００は、ＵＲＬＬＣデータとｅＭＢＢデータとの間で動的に発生する干渉の有無に応じて、グラントフリー送信のためのパラメータ情報を、最適なものに適宜更新することが可能である。その結果、システム全体の伝送効率を向上させることが可能となる。
【０２０３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２０４】
例えば、上記では、ＵＲＬＬＣデータとｅＭＢＢデータとの動的リソースシェアリングについて説明したが、本技術はかかる例に限定されない。例えば、ｍＭＴＣデータ等の他のデータを含む２種類又は３種類以上の動的リソースシェアリングについて、本技術は適用可能である。
【０２０５】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０２０６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２０７】
なお、以下のような構成も本開示の技術的範囲に属する。
（１）
グラントフリー送信された第１の上りリンクデータおよびグラントベース送信された第２の上りリンクデータを受信する基地局装置と通信する通信装置であって、
前記基地局装置から受信した設定情報に基づいてグラントフリー送信可能リソースに関する設定を行う設定部と、
グラントフリー送信のためのパラメータ情報を含む下りリンク制御チャネルを所定の第１のスロットにおいて受信し、前記パラメータ情報に基づいて生成された前記第１の上りリンクデータを前記グラントフリー送信可能リソースの中から選択された上りリンクリソースを用いて送信する通信処理部と、
を備える通信装置。
（２）
前記第１のスロットは、前記第１の上りリンクデータよりも長い前記第２の上りリンクデータの送信時間間隔に基づいて決まる、前記（１）に記載の通信装置。
（３）
前記通信処理部は、前記第１のスロットにおいて前記下りリンク制御チャネルをモニタリングする、前記（１）又は（２）に記載の通信装置。
（４）
前記第１のスロットにおいて前記パラメータ情報が検出されない場合、前記第１の上りリンクデータは所定のパラメータ情報に基づいて生成される、前記（１）〜（３）のいずれか一項に記載の通信装置。
（５）
前記パラメータ情報の適用区間は、前記第１の上りリンクデータよりも長い前記第２の上りリンクデータの送信時間間隔に基づいて決まる、前記（１）〜（４）のいずれか一項に記載の通信装置。
（６）
前記第１のスロットと前記パラメータ情報の適用区間の最初のスロットである第２のスロットとの関係は、前記通信装置に固有に設定される、前記（５）に記載の通信装置。
（７）
前記通信処理部は、前記第１のスロットと第２のスロットとの時間差に関する端末能力情報を前記基地局装置に送信する、前記（６）に記載の通信装置。
（８）
前記パラメータ情報は、前記第２の上りリンクデータの有無に基づいて決定される、前記（１）〜（７）のいずれか一項に記載の通信装置。
（９）
前記第２の上りリンクデータは、前記グラントフリー送信可能リソースの少なくとも一部と同一の直交リソースを用いて送信される、前記（８）に記載の通信装置。
（１０）
前記パラメータ情報は、変調方式及び／又は符号化率に関する情報を含む、前記（１）〜（９）のいずれか一項に記載の通信装置。
（１１）
前記パラメータ情報は、送信電力に関する情報を含む、前記（１）〜（１０）のいずれか一項に記載の通信装置。
（１２）
前記パラメータ情報は、非直交領域に関する送信方法に関する情報を含む、前記（１）〜（１１）のいずれか一項に記載の通信装置。
（１３）
前記パラメータ情報は、データ送信の繰り返し数に関する情報を含む、前記（１）〜（１２）のいずれか一項に記載の通信装置。
（１４）
前記パラメータ情報は、信号波形に関する情報を含む、前記（１）〜（１３）のいずれか一項に記載の通信装置。
（１５）
前記下りリンク制御チャネルは、前記設定情報に含まれるスクランブル情報に基づいて生成される、前記（１）〜（１４）のいずれか一項に記載の通信装置。
（１６）
第１の上りリンクデータをグラントフリー送信する第１の通信装置及び第２の上りリンクデータをグラントベース送信する第２の通信装置と通信する基地局装置であって、
グラントフリー送信可能リソースに関する設定情報を前記第１の通信装置に送信する設定部と、
グラントフリー送信のためのパラメータ情報を含む下りリンク制御チャネルを所定の第１のスロットで送信し、前記グラントフリー送信可能リソースの中から選択された上りリンクリソースを用いて前記第１の通信装置から送信された、前記パラメータ情報に基づいて生成された前記第１の上りリンクデータを受信する通信処理部と、
を備える基地局装置。
（１７）
グラントフリー送信された第１の上りリンクデータおよびグラントベース送信された第２の上りリンクデータを受信する基地局装置と通信する通信装置により実行される方法であって、
前記基地局装置から受信した設定情報に基づいてグラントフリー送信可能リソースに関する設定を行うことと、
グラントフリー送信のためのパラメータ情報を含む下りリンク制御チャネルを所定の第１のスロットにおいて受信し、前記パラメータ情報に基づいて生成された前記第１の上りリンクデータを前記グラントフリー送信可能リソースの中から選択された上りリンクリソースを用いて送信することと、
を含む方法。
（１８）
第１の上りリンクデータをグラントフリー送信する第１の通信装置及び第２の上りリンクデータをグラントベース送信する第２の通信装置と通信する基地局装置により実行される方法であって、
グラントフリー送信可能リソースに関する設定情報を前記第１の通信装置に送信することと、
グラントフリー送信のためのパラメータ情報を含む下りリンク制御チャネルを所定の第１のスロットで送信し、前記グラントフリー送信可能リソースの中から選択された上りリンクリソースを用いて前記第１の通信装置から送信された、前記パラメータ情報に基づいて生成された前記第１の上りリンクデータを受信することと、
を含む方法。
（１９）
コンピュータを、
グラントフリー送信された第１の上りリンクデータおよびグラントベース送信された第２の上りリンクデータを受信する基地局装置と通信する通信装置であって、
前記基地局装置から受信した設定情報に基づいてグラントフリー送信可能リソースに関する設定を行う設定部と、
グラントフリー送信のためのパラメータ情報を含む下りリンク制御チャネルを所定の第１のスロットにおいて受信し、前記パラメータ情報に基づいて生成された前記第１の上りリンクデータを前記グラントフリー送信可能リソースの中から選択された上りリンクリソースを用いて送信する通信処理部と、
として機能させるためのプログラムが記録された記録媒体。
（２０）
コンピュータを、
第１の上りリンクデータをグラントフリー送信する第１の通信装置及び第２の上りリンクデータをグラントベース送信する第２の通信装置と通信する基地局装置であって、
グラントフリー送信可能リソースに関する設定情報を前記第１の通信装置に送信する設定部と、
グラントフリー送信のためのパラメータ情報を含む下りリンク制御チャネルを所定の第１のスロットで送信し、前記グラントフリー送信可能リソースの中から選択された上りリンクリソースを用いて前記第１の通信装置から送信された、前記パラメータ情報に基づいて生成された前記第１の上りリンクデータを受信する通信処理部と、
として機能させるためのプログラムが記録された記録媒体。
【符号の説明】
【０２０８】
１      システム
１１    セル
２０    コアネットワーク
３０    ＰＤＮ（Packet  Data  Network）
５０    グラントフリー送信可能リソース
５１    不使用リソース
５２    使用リソース
６０    グラントベース送信リソース
１００    基地局装置
１１０    アンテナ部
１２０    無線通信部
１３０    ネットワーク通信部
１４０    記憶部
１５０    制御部
１５１    設定部
１５３    通信処理部
２００    端末装置、ＵＲＬＬＣ端末
２１０    アンテナ部
２２０    無線通信部
２３０    記憶部
２４０    制御部
２４１    設定部
２４３    通信処理部
３００    端末装置、ｅＭＢＢ端末
【図１】
2018191104.tif 000003
【図２】
2018191104.tif 000004
【図３】
2018191104.tif 000005
【図４】
2018191104.tif 000006
【図５】
2018191104.tif 000007
【図６】
2018191104.tif 000008
【図７】
2018191104.tif 000009
【図８】
2018191104.tif 000010
【図９】
2018191104.tif 000011
【図１０】
2018191104.tif 000012
【図１１】
2018191104.tif 000013
【図１２】
2018191104.tif 000014
【図１３】
2018191104.tif 000015
【図１４】
2018191104.tif 000016
【図１５】
2018191104.tif 000017